(57)【要約】【課題】ソケット型下部と１つまたはいくつかのプラグインモジュールとから構成される、過電圧保護のための進歩的な器具のプラグインの組み合わせを提供する。【解決手段】本発明は、過電圧保護のための器具のプラグインの組み合わせに関し、器具の組み合わせは、どちらも過電圧保護要素を受けられるソケット型下部と、少なくとも１つのプラグインモジュールと、それぞれ下部とプラグインモジュールに配置された接点要素と接点カウンタ要素と、それぞれのプラグイン組み合わせを挿入しもしくは進め、および固定する、補助的なガイドレールもしくはガイド溝と、から構成される。本発明によると、機能的に分離された機械的キャッチもしくはスナップイン要素はそれぞれのプラグインモジュールとソケット型下部との間で、プラグインモジュールが用いられる時に、正に固定され及び／又は負に固定された方法で接点要素と接点カウンタ要素とを共に保つ力から独立して作用する。キャッチもしくはスナップイン機能は、各プラグインモジュールが交換される時、機械的補助手段を用いることなく取り消すことができる。【選択図】図１【特許請求の範囲】
【請求項１】
過電圧保護要素を収容する、ソケット型下部と、１つ又はいくつかのプラグインモジュールと、下部およびプラグインモジュールに夫々配置される接点要素と接点対向要素と、夫々のプラグインモジュールの規制された挿入もしくはスライドおよび固定のための補助的ガイドレールもしくはガイド溝から構成され、
挿入されたプラグインモジュールと正、及び／又は負に接続される接点要素および対向接点要素を保持する力に関係なく、夫々のプラグインモジュールとソケット型下部との間で作用する、機能的に分離された機械的キャッチもしくはスナップイン要素が提供され、このキャッチもしくはスナップイン機能は、夫々のプラグインモジュールの交換が要求される時に、機械的補助手段を用いずに解消可能であること、を特徴とする過電圧保護のための器具のプラグインの組み合わせ。
【請求項２】
プラグインモジュールは底部グループを有する運搬ユニットから構成され、いくつかの大面積接点要素は底部グループに配置され、前記底部グループは更に桶型の下側部分を構成し、そこからストップ端、ストップ面、及び／又はストップピンがソケット型下部の方向に下側に延びており、
運搬ユニットはフードによって囲まれ、このフードは２つの対向する側においてヒンジ面を有し、このヒンジ面は、挿入状態で下部に関してキャッチもしくはスナップイン機能を達成するキャッチ突起もしくはキャッチカムがその端に備えられる圧板へとつながっており、さらにバネ型の機械的エネルギー貯蔵手段が下部とプラグインモジュールとの間に備えられ、これは夫々のプラグインモジュールの挿入に際して付勢され、キャッチもしくはスナップイン機能の解消に際して機械的エネルギーを解放してプラグインモジュールをソケット型下部から取り外すこと、を特徴とする請求項１に記載の器具のプラグインの組み合わせ。
【請求項３】
運搬ユニットは過電圧保護要素を収容し、圧板の動きを制限する面もしくは端が、フードの圧板の下の運搬ユニットに形成されること、を特徴とする請求項２に記載の器具のプラグインの組み合わせ。
【請求項４】
運搬ユニットの底部グループの領域にキャッチ突起が備えられ、これがフードの補助的凹所と係合してこれをロックすること、を特徴とする請求項２または３に記載の器具のプラグインの組み合わせ。
【請求項５】
フードが２つの各対向する幅広側および幅狭側から構成されること、を特徴とする請求項２から４のいずれか１項に記載の器具のプラグインの組み合わせ。
【請求項６】
圧板は幅狭側の少なくとも１つに備えられること、を特徴とする請求項５に記載の器具のプラグインの組み合わせ。
【請求項７】
フードの凹所は幅広側の下部に配置されること、を特徴とする請求項５に記載の器具のプラグインの組み合わせ。
【請求項８】
圧板の外表面が模様化されていること、を特徴とする請求項２から７のいずれか１項に記載の器具のプラグインの組み合わせ。
【請求項９】
圧板のキャッチ突起もしくはキャッチカムがくさび形状のスライド表面を有し、各くさび形の先端は挿入の方向に方向付けられていること、を特徴とする請求項２から８のいずれか１項に記載の器具のプラグインの組み合わせ。
【請求項１０】
通信接点をトリガするコーディングピンおよび／もしくは要素が底部グループに備えられること、を特徴とする請求項２から９のいずれか１項に記載の器具のプラグインの組み合わせ。
【請求項１１】
フードはその下部において、幅方向にわたって延在するくさび形状から構成されること、を特徴とする請求項２から１０のいずれか１項に記載の器具のプラグインの組み合わせ。
【請求項１２】
フードはその頂上において、球状もしくは円弧形状であること、を特徴とする請求項２から１１のいずれか１項に記載の器具のプラグインの組み合わせ。
【請求項１３】
下部はＵ字形状を有し、キャッチもしくはスナップイン要素は下部の開いた脚に配置され、凹所はバネ型の機械的エネルギー貯蔵手段およびその作動のために連結脚に備えられること、を特徴とする請求項２から１２のいずれか１項に記載の器具のプラグインの組み合わせ。
【請求項１４】
開いた脚は縦方向に延在するガイドレールを構成しており、各プラグインモジュールの挿入を容易にすること、を特徴とする請求項１３に記載の器具のプラグインの組み合わせ。
【請求項１５】
連結脚は底部グループの下側を補完する形状により構成され、レセプタクルはそれぞれ連結脚の下で１つのバネユニットのために備えられ、これは底部グループのストップ端、ストップピン、もしくはストップ面への上向きのアクセスを提供すること、を特徴とする請求項２及び１３又は１４に記載の器具のプラグインの組み合わせ。
【請求項１６】
各バネユニットは、ソケット型下部の底を支持すること、を特徴とする請求項１５に記載の器具のプラグインの組み合わせ。
【請求項１７】
コーディングピンのための少なくとも１つの凹所もしくは通信接点へのアクセスが連結脚に備えられること、を特徴とする請求項１３から１６のいずれか１項に記載の器具のプラグインの組み合わせ。
【請求項１８】
機械的エネルギー貯蔵手段と同様、キャッチもしくはスナップイン要素が、多数備えられ、好ましくは対称的に配置されること、を特徴とする請求項２から１７のいずれか１項に記載の器具のプラグインの組み合わせ。
【請求項１９】
連結脚は夫々両側において、１つの一体形成されたウェブから構成され、これにより対向する開いた脚部分の安定性を確保させること、を特徴とする請求項１３から１８のいずれか１項に記載の器具のプラグインの組み合わせ。
【請求項２０】
プラグインモジュールは、その上に配置される上部フード部分および圧板を有し、挿入状態において、フリーにアクセス可能な状態を維持していることを特徴とする、請求項２から１９のいずれか１項に記載の器具のプラグインの組み合わせ。
【請求項２１】
接点要素および対向接点要素は、高い接触保持力を有するオス接点として設計され、サージ電流を伝達することが可能であること、を特徴とする先行する請求項のいずれか１項に記載の器具のプラグインの組み合わせ。
【発明の詳細な説明】
【技術分野】
【０００１】
本発明は、請求項１のプリアンブルにしたがって、過電圧保護要素に対応するソケット型下部と１つまたはいくつかのプラグインモジュールと、下部とプラグインモジュール内にそれぞれ配置される接点要素と接点対向要素と、各プラグインモジュールの規制された挿入もしくはスライドもしくは固定のための補助的なガイドレールもしくはガイド溝と、から構成される、過電圧保護のための器具のプラグインの組み合わせに関する。
【背景技術】
【０００２】
多くの場合において、現在の技術水準に従った過電圧保護装置は、下部およびプラグインモジュールを備えた、器具のプラグインの組み合わせとして構成される。
【０００３】
導電体の接触のための接続端子は下部に配置され、挿入されるプラグインモジュールのための対応するレセプタクルはその中に備えられる。下部はまた、プラグインモジュールの１つまたはいくつかのオス接点を包含する要素を収納するので、下部でのプラグインモジュールの適切な台座と同様、所望の機械的および電気的接触が保証される。
【０００４】
適切な過電圧保護要素、たとえば火花ギャップ、バリスタ、ガス排出器などは、プラグインモジュール内に配置される。
【０００５】
下部はしばしば、Ｕ字形状本体として形成され、Ｕ字形状本体の開かれた脚は、プラグインモジュールがＵ字形状の部分の連結脚の上に載るようにプラグインモジュールを横方向に取り囲む。下部はさらに、据え付け側において、いわゆるトップハットレールアセンブリを可能にするレセプタクル要素が備えられる。
【０００６】
簡潔に説明したように、下部およびプラグインモジュールの間の分離された機能の利点は、検査および保守作業のために、接続端子を開いたり、それぞれのシステムをサプライから切断したりする必要なく、プラグインモジュールが取り外されることである。
【０００７】
取り外され、分離されたプラグインモジュールはそこで、電気システムから離れて、特別な試験装置を用いて検査され、場合によっては、交換されたり、再度組み立てられたりするであろう。
【０００８】
現在の技術水準に関して、たとえば、ＤＥ  ３６  ３９  ５３３  Ｃ２、ＤＥ  ２９５  １９  ３１３  Ｕ１、ＤＥ  １００  ０１  ６６７  Ｃ１、ＤＥ  ２０  ２００４  ００６  ２２７  Ｕ１について言及される。
【０００９】
特別な問題として、下部とプラグインモジュールとの間のオス接点配置を設計する過程で、この接点は、１０／３５０μｓおよび８／２０μｓの波形の放電の場合に接点を通じて流れるサージ電流について、もしくは本線周波数短絡回路電流について、それぞれ設計されるものであるという事実に留意すべきである。
【００１０】
とりわけ、市場で要求されるような過電圧雷電流アレスタにおいて、１００ｋＡにのぼる部分的に相当なサージ電流が数回、接点消耗もしくは摩耗がほぼ生じないような方法で、これらの接点を通じて運ばれなければならない。関連するテストは、過電圧保護装置の製品基準に定められている。
【００１１】
このような規模のサージ電流を安全に制御するために、個々の接点要素の間の大変高い接触力が選択されなければならない。結果として、現在の技術水準にしたがったプラグインモジュールは、相当の力をかけられて、そしてほとんどの場合特別なツールの助けを借りてのみ、取り外されることができる。したがって、さらなるツールが必要とされ、これは装置の使用について相当の不利点を意味する。また、ツールを取り扱う時に、アレスタ内においてアーク短絡が知らずに生じ、人およびシステムに危険をもたらすであろうという、さらなる潜在的な危険がある。
【００１２】
接点要素間の接触力が低く設計される場合、プラグインモジュールの取り外しは容易となるが、サージ電流の間の電気力学的な力の作用の影響下でプラグインモジュールが不用意に下部から外れるため、さらなる保護手段が備えられない装置の適切な総括的機能はもはや保証されないというリスクがある。
【発明の開示】
【発明が解決しようとする課題】
【００１３】
上述を考慮すると、本発明の目的は、したがって、ソケット型下部と１つまたはいくつかのプラグインモジュールとから構成される、過電圧保護のための進歩的な器具のプラグインの組み合わせを提供することであり、器具の組み合わせにおいて、一方では、消耗および摩耗がないような方法で相当のサージ電流を伝達することが可能とすることであり、他方では、ソケット型の下部に配置されたプラグインモジュールは、問題なく、すなわち、補助的手段もしくは特別なツールなしに切断および取り外しが可能とすることである。
【課題を解決するための手段】
【００１４】
本発明の目的は、請求項１の教示にしたがった特性の組み合わせによって解決され、従属項は少なくとも有用な実施形態および進歩を含むであろう。
【００１５】
したがって、本発明の基本的な構想は、ソケット型下部への挿入に際して、電気的オス接点システム、ロックユニット、解放要素のアセンブリ間の機能を、プラグインモジュールが１つまたはいくつかの機械的エネルギー貯蔵手段を付勢するような方法で、たとえば、板バネもしくはつる巻きバネの形状で、分離することである。
【００１６】
ロックユニットは、プラグインモジュールを所望の端位置に固定する。
【００１７】
プラグインモジュールが取り外されなければならない場合、ロックユニットにおける固定が、単に手動力をかけるだけで取り消される。機械力の影響により、わずかな張力がかけられてプラグインモジュールは下部から外されるであろう。
【００１８】
上述の機能グループの設計は、広い範囲にわたって変形可能であり、したがって最適化可能であろう。したがって、プラグインモジュールがオス接点から離れるよう自動的に促されるような方法で、解放力を設計することが、基本的に想定可能である。機械的調整は同様に、プラグインモジュールが相当の力のみで引き抜かれることができるような方法で行われる。
【発明の効果】
【００１９】
本発明の本質的な利点は、適切な接点システム、すなわち接点要素および対向接点要素の構造的設計が、サージ電流放電としての機能について最適に設計されることである。
【００２０】
発明の基本的概念の実現において、それぞれのプラグインモジュールとソケット型下部との間で作用する、機械的キャッチもしくはスナップイン要素の機能的に分離された配置が、したがって、挿入されたプラグインモジュールと正、及び／又は、負に接続される接点要素および対向接点要素を保持する力に関係なく、提供される。
【００２１】
キャッチもしくはスナップイン機能は、それぞれのプラグインモジュールの交換もしくは検査が要求される時、いかなる機械的補助手段もなしに解消されるであろう。
【００２２】
さらに、バネ型の機械的エネルギー貯蔵手段が、実施形態において、下部とプラグインモジュールとの間に備えられ、これは各プラグインモジュールの挿入に際して付勢され、キャッチもしくはスナップイン機能の解消に際して、プラグインモジュールをソケット型下部から取り外すために機械的エネルギーを解放する。
【００２３】
プラグインモジュールは、底部グループを有する運搬ユニットから構成され、いくつかの大面積接点要素が底部グループに配置される。
【００２４】
底部グループは、そこからストップ端、ストップ面、及び／又は、ストップピンがソケット型下部の方向へ下方に延びている、桶型の下側をさらに含む。
【００２５】
運搬ユニットはフードで包まれ、フードは対向する側におけるヒンジ面から構成され、これは、挿入された状態において、下部に関してキャッチもしくはスナップイン機能を遂行するキャッチ突起もしくはキャッチカムがその端に備えられるところの圧板へ連なっている。
【００２６】
フードは、プラスチック金型成型部品として形成されてよく、ヒンジ面はいわゆるホイルヒンジ継ぎ手(foil hinge joint)であってよい。圧板を有するヒンジ面は通常、キャッチ突起もしくはキャッチカムが最大の外側位置をとるような方法で付勢される。圧板に小さな力を作用することで、キャッチ突起もしくはキャッチカムは相互に対して、すなわち、フードの内側方向に動かされ、ソケット型下部に配置される補助的凹所から脱出して取り外される。
【００２７】
上述の運搬ユニットは、適切に過電圧保護要素を収容する。圧板の動きを制限する面もしくは端は、フードの圧板の下に配置される。
【００２８】
運搬ユニットの底部アセンブリの領域において、フード内の補助的凹所に係合し、固定する、キャッチ突起が備えられる。
【００２９】
フードは、２つの対向する幅広側と２つの対向する幅狭側から構成され、圧板は幅狭側に配置される。
【００３０】
フード内の凹所は幅広側の下部に配置されることが好ましい。
【００３１】
圧板のより簡単な作動のため、またプラグインモジュールを下部から引き抜くため、圧板の外表面が模様化されている。
【００３２】
圧板のキャッチ突起もしくはキャッチカムは、くさび形状のスライド表面から構成され、夫々のくさび形の先端は挿入の方向に方向付けられてよい。挿入プロセスの間、くさび形状のスライド表面はソケット型下部の表面に沿ってスライドし、次いでその中に備えられる凹所と係合し、圧板は解放される。
【００３３】
底部グループにおいて、通信接点をトリガするコーディングピンおよび／もしくは要素が備えられてよい。
【００３４】
本発明の実施形態において、フードはその下部において、フード幅方向にわたって延在するくさび形状を有する。この実施形態において、フードはさらにその上部において球状もしくは円弧形状である。
【００３５】
器具の組み合わせの下部はＵ字形状を有し、キャッチもしくはスナップイン要素は下部の開いた脚に配置され、バネ型の機械的エネルギー貯蔵手段およびそれらの作動のために連結脚に凹所が備えられる。
【００３６】
開いた脚はさらに、プラグインモジュールの挿入を容易にする縦方向に延在するガイドレールから構成されてもよい。これらのガイドレールはまた、限定された挿入を可能とするべく、コーディング機能を有してよいので、それぞれの下部についての誤った挿入が妨げられる。
【００３７】
下部の連結脚は、底部グループの下側を補完する形状から構成され、レセプタクルが連結脚の下で１つのバネユニットについてそれぞれ備えられ、これは底部グループのストップ端、ストップピン、またはストップ面への上向きのアクセスを提供する。
【００３８】
好ましくは、それぞれのバネユニットはソケット型下部の底部を支える。バネユニットのバネは、下部の標準化された構造概念を用いて、付勢力および解放力に関してそれぞれの用途への対応が容易にもたらされるように、交換可能である。
【００３９】
コーディングピンのための少なくとも１つの凹所もしくは通信接点へのアクセスは、連結脚内に備えられる。
【００４０】
機械的エネルギー貯蔵と同じくキャッチもしくはスナップイン要素は多重に備えられ、対称に配置されることが好ましい。
【００４１】
下部の連結脚は、両方の側のそれぞれに１つの一体形成されたウェブから構成され、これは対向する開いた脚部分を安定させるため、これらの部分がプラグインモジュールの挿入に際して別々に駆動されるリスクはない。
【００４２】
上部のフードを有するそれぞれのプラグインモジュールとその上に配置される圧板は、挿入状態において突出し、したがってプラグインモジュールを取り外す目的で圧板の作動のためにアクセス可能な状態を維持している。
【００４３】
一方でプラグインモジュールに、他方で下部に配置される接点要素および対向接点要素は、サージ電流を伝達することが可能であり、高い接触保持力を有するオス接点として作られるが、接触保持力は最初にもしくは同時に、下部でプラグインモジュールの機械的固定を提供することを要求されない。
【発明を実施するための最良の形態】
【００４４】
以下に、本発明は実施形態および図面を参照してより詳細に説明されるであろう。
【００４５】
図１からわかるように、プラグインモジュール１は、運搬ユニット４とフード５から成る。
【００４６】
フード５の下もしくは運搬ユニット４の上にそれぞれ、過電圧放電装置の適切な能動部品が配置され、オス接点２と電気的に接触している。
【００４７】
オス接点２は、対向する側において好ましくは対称に配置される大面積の金属ブロックとして作られる。
【００４８】
フード５の両方の端面上に、圧板６として作られた作動面６’が配置される。
【００４９】
これらは、機械的に構成されたヒンジ面７を通じて頂上に移動可能に配置されるため、妥当なコストでフード要素の構成に組み込まれることができる。
【００５０】
作動面６’に機械的な力をかける時、これらは内側に動き、運搬ユニット４のストップ板８は移動リミッタとして機能する。
【００５１】
圧板６の有効な移動(displacement)は調整されるので、下部に配置されたキャッチ突起９は、固定係合が解消されるように、それらのはめ合い部分９’（図２参照）から脱出する。
【００５２】
図解された実施形態において、全体で２つのキャッチ突起９はそれぞれ、プラグインモジュール１が全体で４の固定ポイントから構成され、それによって正確にバランスを取り所望の位置でゆがみなく保持されるように、端面に配置される。
【００５３】
プラグインモジュール１の取り外しが過度の努力を必要とすることなく容易であるよう、作動面６’の表面には模様が備えられる。
【００５４】
桶型の底部グループとして形成された運搬ユニット４の下部は、コーディングピンもしくは通信作動接点１００をさらに含んでもよい。
【００５５】
ストップ端、ストップ面、もしくはストップピン１０は、上述の底部グループの下側から延在し、関連するバネユニット１１に関して圧点として作動する（図２）。
【００５６】
運搬ユニット４は、底部グループの領域内のキャッチ突起１１０から構成され、これはフード５の補助的凹所１１１と係合してこれを固定する。
【００５７】
圧板６のキャッチ突起９は、くさび形状のスライド表面１１２を有し、くさび形の先端は挿入の方向に方向付けられる。
【００５８】
説明図からわかるように、フード５はその下部においてくさび形状に設計され、フード５の頂上は球もしくは円弧形状の構成を有する。
【００５９】
各プラグインモジュール１は、２もしくは４の対称に配置されたオス接点要素２を備えられることが好ましい。オス接点要素２をそれぞれ動作可能なもしくは静止した部分として形成することにより、ほぼ摩耗のない方法によって大面積の接点要素を通じて比較的高いサージ電流を伝達することが可能である。下側における個々のオス接点の均一に分散した配置は、高い電気力学的な力が作用したとしても、下部におけるプラグインモジュールの変形もしくは傾斜は生じないように、一定の均一な力分布を保証する。
【００６０】
図２および図３の説明図によれば、器具の組み合わせの下部はＵ字形状を有する。下部１２は２つの開いたＵ字形状の脚１２０と連結脚１２１とから構成される。
【００６１】
プラグインモジュール１のキャッチ突起９のための上述の凹所９’は、下部１２の開いた脚１２０内に形成される。
【００６２】
連結脚１２１は、バネ型の機械的エネルギー貯蔵手段およびそれらの作動のための凹所１２２から構成される。
【００６３】
本発明の実施形態において、開いた脚１２０には、それぞれのプラグインモジュール１の容易かつ正確な挿入のために、ガイドレール１３が備えられる。
【００６４】
連結脚１２１は、その頂上においてプラグインモジュール１の底部グループの下側を補完する形状からさらに構成され、レセプタクル１２３はそれぞれ連結脚の下で１つのバネユニット１１のために提供され、これはプラグインモジュール１の底部グループのストップ端１０への上向きのアクセスを構成する。
【００６５】
図２および図３からわかるように、それぞれ少なくとも１つのつる巻きバネから構成されるそれぞれのバネユニット１は、ソケット型下部の底を支える。
【００６６】
連結脚１２１において、コーディングピンのためもしくは通信接点へのアクセスとして、少なくとも１つの凹所１２４がまた備えられる。
【００６７】
連結脚１２１の両側に、一体形成されたウェブ１２５が備えられて下部の全体的配置を強化し安定化させる。
【００６８】
挿入された状態（図３参照）において、フード上部を有するプラグインモジュール１およびその上に配置される圧板はアクセス可能に保持される。
【００６９】
ガイドレールによってガイドされ、各オス接点２と下部の対向部分との間の所望の電気接触を作りだす、プラグインモジュール１の下部１２への挿入の間、加えられる機械力は、下部１２に配置される機械的エネルギー貯蔵手段３および１１をそれぞれ付勢(bias)するのに用いられる。
【００７０】
これは、そのうえに備えられた圧力点を有する、各ストップ端、ストップピン、もしくはストップ面によってもたらされる。
【００７１】
各下部１２に、一体化された例えば４つのバネユニット１１があることが好ましい。数および対象的配置は、力の作用の最適な均一性を保証する。
【００７２】
設定される解放力と、関連する解放行程は、機械的エネルギー貯蔵手段３の実際の構造設計、とりわけ適切なバネ要素およびそのバネ特性の選択を通じて、広範囲にわたって変形可能であろう。
【００７３】
キャッチ突起９の凹所９’からの解放に際し、圧板６もしくは作動面６’にそれぞれ圧縮力をかけることにより、キャッチ突起９は凹所９’から解放される。結果として、プラグインモジュール１は、バネユニット内で貯蔵された機械的エネルギーの使用下で、さらなる機械的補助手段もしくはツールを用いることなく、容易に取り外すことができる。
【図面の簡単な説明】
【００７４】
【図１】フードが設置された本発明のプラグインモジュールの３次元説明図（図面左側）と、同じく、フードなしの運搬ユニットの図（図面右側）である。
【図２】バネユニットの詳細を示すＵ字形状の下部の説明図である。
【図３】プラグインモジュールが挿入された完全な器具のプラグインの組み合わせと、プラグインモジュールがソケット部分に完全に挿入された機械的エネルギー貯蔵手段の詳細の説明図である。
【符号の説明】
【００７５】
１    プラグインモジュール
２    オス接点
３    機械的エネルギー貯蔵手段
４    運搬ユニット
５    フード
６    圧板
６’  作動面
７    ヒンジ面
８    ストップ面
９    キャッチ突起
９’  キャッチ突起のための下部の凹所
１０  ストップ端もしくはそれらの圧力点
１１  バネユニット
１２  下部
１３  ガイドレール
１００  コーディングピン及び／又は通信接点
１１０  運搬ユニットの底部グループにおけるキャッチ要素
１１１  フードの凹所
１１２  キャッチ突起のくさび形状のスライド表面
１２０  下部１２の開いた脚
１２１  下部の連結脚
１２２  バネユニットへのアクセスとしての凹所
１２３  バネユニットのためのレセプタクル
１２４  コーディングピン及び／又は通信接点のための凹所
１２５  ウェブ
【図１】
2008530742.tif 000002
【図２】
2008530742.tif 000003
【図３】
2008530742.tif 000004
【国際調査報告】
2008530742.tif 000005
2008530742.tif 000006
2008530742.tif 000007
2008530742.tif 000008